(57)【要約】【課題】ラゲッジボードの取り外し作業が容易であるラゲッジボード用ガイドピン装置を提供する。【解決手段】車両用のラゲッジボード側端近傍に取り付けられ、昇降用或いは着脱用に使用されるラゲッジボード用ガイドピン装置であって、前記ラゲッジボードへの固着手段を有する基板部と、前記基板部に取り付けられ前記基板部の一部を覆うハウジングと、前記ハウジング内に配設され、一部がハウジング及び基板部の端部から突出／退避可能な軸部と、前記ハウジングの外に一部が露出し、前記軸部を操作可能な操作部とを備え、前記操作部は、前記ハウジングに設けたスライド長孔の範囲で摺動し、前記軸部をラゲッジボード側端から突出位置と退避位置とに択一的に操作するので、ラゲッジボードの高さ調整が容易であると共に取り外し作業が容易である。【選択図】図１
2013216134.tif 000002
【特許請求の範囲】
【請求項１】
車両用のラゲッジボード側端近傍に取り付けられ、昇降用或いは着脱用に使用されるラゲッジボード用ガイドピン装置であって、
前記ラゲッジボードへの固着手段を有する基板部と、
前記基板部に取り付けられ前記基板部の一部を覆うハウジングと、
前記ハウジング内に配設され、一部がハウジング及び基板部の端部から突出／退避可能な軸部と、
前記ハウジングの外に一部が露出し、前記軸部を操作可能な操作部とを備え、
前記操作部は、前記ハウジングに設けたスライド長孔の範囲で摺動し、前記軸部をラゲッジボード側端から突出位置と退避位置とに択一的に操作することを特徴とするラゲッジボード用ガイドピン装置。
【請求項２】
前記基板部と前記軸部との間に付勢手段が配設され、
前記操作部を操作することにより、前記付勢手段の付勢力により軸部がラゲッジボード側端から突出／退避することを特徴とする請求項１に記載のラゲッジボード用ガイドピン装置。
【請求項３】
前記付勢手段は、捩りコイルスプリングであることを特徴とする請求項２に記載のラゲッジボード用ガイドピン装置。
【請求項４】
前記付勢手段は、前記軸部の突出方向と反対側の端部と基板部の前記軸部の突出方向と反対側の端部との間に配設されたことを特徴とする請求項２〜３の何れか１に記載のラゲッジボード用ガイドピン装置。
【発明の詳細な説明】
【技術分野】
【０００１】
この発明は、例えば車両等のラゲッジルーム内におけるラゲッジボードの高さ調整に使用されるラゲッジボード用ガイドピン装置に関するものである。
【背景技術】
【０００２】
従来、高さ調整のできるラゲッジボード用ガイドピン装置は、特許文献１に示すように、ラゲッジボードの先方両端に取り付けられると共に、ラゲッジボードに固定されたハウジングから突出方向にバネ付勢された軸部をラゲッジサイドトリムに形成されたガイド溝内に遊嵌し、ラゲッジボードの後端を段部に架け替えることで調整している（特許文献１）。
【先行技術文献】
【特許文献】
【０００３】
【特許文献１】特開２００９−２４１８２５号公報
【発明の概要】
【発明が解決しようとする課題】
【０００４】
しかし、従来の特許文献１の場合では、軸部は常にハウジングから突出方向にバネ付勢されており、ガイド溝内から外れることは無かった。したがって、ラゲッジボード自体を取り外すことは困難であった。
【０００５】
この発明は、上記したような従来の不都合を解消する為になされたもので、ガイド溝内に遊嵌された軸部をラゲッジボード側端から突出位置と退避位置とに択一的に操作できるようにして、ラゲッジボードの高さ位置調整と取り外しのできるラゲッジボード用ガイドピン装置を提供するものである。
【課題を解決するための手段】
【０００６】
この発明は、以下のような内容である。
（１）上記目的を達成するため、本発明は車両用のラゲッジボード側端近傍に取り付けられ、昇降用或いは着脱用に使用されるラゲッジボード用ガイドピン装置であって、前記ラゲッジボードへの固着手段を有する基板部と、前記基板部に取り付けられ前記基板部の一部を覆うハウジングと、前記ハウジング内に配設され、一部がハウジング及び基板部の端部から突出／退避可能な軸部と、前記ハウジングの外に一部が露出し、前記軸部を操作可能な操作部とを備え、前記操作部は、前記ハウジングに設けたスライド長孔の範囲で摺動し、前記軸部をラゲッジボード側端から突出位置と退避位置とに択一的に操作することを特徴とする。
（２）また、前記基板部と前記軸部との間に付勢手段が配設され、
前記操作部を操作することにより、前記付勢手段の付勢力により軸部がラゲッジボード側端から突出／退避することを特徴とする。
（３）前記付勢手段は、捩りコイルスプリングであることを特徴とする。
（４）前記付勢手段は、前記軸部の突出方向と反対側の端部と基板部の前記軸部の突出方向と反対側の端部との間に配設されたことを特徴とする。
【発明の効果】
【０００７】
この発明によれば、車両用のラゲッジボード側端近傍に取り付けられ、昇降用或いは着脱用に使用されるラゲッジボード用ガイドピン装置であって、前記ラゲッジボードへの固着手段を有する基板部と、前記基板部に取り付けられ前記基板部の一部を覆うハウジングと、前記ハウジング内に配設され、一部がハウジング及び基板部の端部から突出／退避可能な軸部と、前記ハウジングの外に一部が露出し、前記軸部を操作可能な操作部とを備え、前記操作部は、前記ハウジングに設けたスライド長孔の範囲で摺動し、前記軸部をラゲッジボード側端から突出位置と退避位置とに択一的に操作するので、ラゲッジボードの高さ位置調整と取り外しができる。また、ラゲッジボードを取り外す際の作業性を向上することができる。
また、前記基板部と前記軸部との間に付勢手段が配設され、前記操作部を操作することにより、前記付勢手段の付勢力により軸部がラゲッジボード側端から突出／退避するので、ラゲッジボードの取り外しが容易である。また、小さな力で操作でき、操作性を向上できる。
また、前記付勢手段は、捩りコイルスプリングであるので、軸部をラゲッジボード側端から突出位置と退避位置とに択一的に移動でき、操作にメリハリを付けることができる。また、作業性を向上することができる。
また、前記付勢手段は、前記軸部の突出方向と反対側の端部と基板部の前記軸部の突出方向と反対側の端部との間に配設されたので、装置の小型化により設置スペースを小さくできる。また、製造工程を削減できる。
【図面の簡単な説明】
【０００８】
【図１】図１は、本発明の一実施形態を示すラゲッジボード用ガイドピン装置の分解斜視図である。
【図２】図２は、同ラゲッジボード用ガイドピン装置の平面図である。
【図３】図３は、同ラゲッジボード用ガイドピン装置の側面図である。
【図４】図４は、同ラゲッジボード用ガイドピン装置の正面図である。
【図５】図５は、同ラゲッジボード用ガイドピン装置の使用態様を示す説明図である。
【発明を実施するための形態】
【０００９】
本発明のラゲッジボード用ガイドピン装置は、固着手段を有する基板部と、基板部の一部を覆うハウジングと、一部がハウジング及び基板部の端部から突出／退避可能な軸部と、前記軸部を操作可能な操作部とを備え、 軸部をラゲッジボード側端から突出位置と退避位置とに択一的に操作するので、ラゲッジボードの高さ位置調整と取り外しができ操作性の向上を実現した。
【実施例１】
【００１０】
以下、一実施の形態を示す図面に基づいて本発明を詳細に説明する。図１は本発明の一実施形態を示すラゲッジボード用ガイドピン装置の分解斜視図、図２はその平面図、図３はラゲッジボード用ガイドピン装置の側面図、図４はその正面図である。ここで、ラゲッジボード用ガイドピン装置１０は、車両用のラゲッジボード１１の側端近傍に取り付けられ、昇降用或いは着脱用に使用されるものであって、ラゲッジボード１１への固着手段を有する基板部１２と、この基板部１２に取り付けられ前記基板部１２の一部を覆うハウジング１３と、ハウジング内に配設され、一部がハウジング１３及び基板部１２の端部から突出／退避可能な軸部１４と、ハウジング１３の外に一部が露出し、軸部１４を操作可能な操作部１５とを備え、前記操作部１５は、前記ハウジング１３に設けたスライド長孔１６の範囲で摺動し、軸部１４をラゲッジボード側端から突出位置と退避位置とに択一的に操作する構成である。また、基板部１２と軸部１４との間に付勢手段である捩りコイルスプリング１７が配設され、操作部１５を操作することにより、捩りコイルスプリング１７の付勢力により軸部１４がラゲッジボード側端から突出／退避する。
【００１１】
基板部１２は、略平板状をすると共に両側端に固着手段であるビス孔１８が形成されている。また、上面中央には、ハウジング１３を取り付けるための係止片１９が所定間隔で立設されている。更に、基板部１２の正面側には、軸部１４の突出する突出孔２０を有する正面壁２１が形成されている。また、正面壁２１の反対側近傍には、捩りコイルスプリング１７の一端を係止するためのバネ軸２２が立設されている。バネ軸２２は、軸部１４が後退した際の後端部の近傍に形成されている。
【００１２】
ハウジング１３は、断面が略門形に形成されており、天井部にスライド長孔１６を有している。また、側壁部には基板部１２に立設された係止片１９と係合する係合孔２３が形成されており、基板部１２の上面中央を覆う。
【００１３】
軸部１４は、突出孔２０から突出／後退する円筒状の係合軸１４ａと係合軸１４ａに固着され、後端に捩りコイルスプリング１７の他端を係止するための係止孔２４を基部１４ｂと操作部１５の一部が係合される係合孔１４ｃとから構成され、ハウジング１３内に配設される。
【００１４】
操作部１５は、上面に滑り止めの凹凸１５ａを有するとともに、スライド長孔１６内を摺動すると共に軸部１４の係合孔１４ｃに嵌合される脚部１５ｂとを備えている。したがって、軸部１４の移動範囲は、スライド長孔１６によって規制される。
【００１５】
捩りコイルスプリング１７は、コイル部１７ａとコイル部端部から直線状に展開されたアーム部１７ｂ、１７ｂとから成り、アーム部１７ｂの先端部がループ状或いはフック状に形成されて、バネ軸２２或いは係止孔２４に係止される。
【００１６】
これらの各構成要素は、先ず基板部１２に軸部１４を配設し、係止孔２４とバネ軸２２の間に捩りコイルスプリング１７を取り付ける。この際、係合軸１４ａは、正面壁２１の突出孔２０から突出可能となっている。次に、軸部１４を覆うようにハウジング１３を取り付ける。係止片１９に係合孔２３を係合することにより固定する。また、操作部１５をハウジング１３の上面から取り付け、脚部１５ｂを軸部１４の係合孔１４ｃに嵌合する。
【００１７】
このように構成されたラゲッジボード用ガイドピン装置１０の動作を図５に従って説明する。ラゲッジボード１１の両端にビス孔１８でビス止めされたラゲッジボード用ガイドピン装置のバネ付勢された軸部１４は、ラゲッジサイドトリム２５に形成された図外のガイド溝内に遊嵌し、ラゲッジボードの後端を段部に架け替えることで高さ位置の調整できる。また、操作部１５によって軸部１４を後退させることで、容易に取り外すことができる。軸部１４は、捩りコイルスプリング１７によって付勢されているので、突出位置と退避位置との択一的に駆動され、中間位置で停止することがない。
【００１８】
本発明では、操作部１５により軸部１４を瞬時に後退させることができ、ラゲッジボード取り外し時の作業性の向上を図ることのできる。
【００１９】
なお、以上の実施例では、軸部１４を直線的に突出／退避する場合について説明したが、これに限ることなく、回動によって突出／退避する構成にしてもよい。
【符号の説明】
【００２０】
１０    ラゲッジボード用ガイドピン装置
１１    ラゲッジボード
１２    基板部
１３    ハウジング
１４    軸部
１４ａ  係合軸
１４ｂ  基部
１４ｃ  係合孔
１５    操作部
１５ａ  凹凸
１５ｂ  脚部
１６    スライド長孔
１７    捩りコイルスプリング
１８    ビス孔
１９    係止片
２０    突出孔
２１    正面壁
２２    バネ軸
２３    係合孔
２４    係止孔
２５    ラゲッジサイドトリム
【図１】
2013216134.tif 000003
【図２】
2013216134.tif 000004
【図３】
2013216134.tif 000005
【図４】
2013216134.tif 000006
【図５】
2013216134.tif 000007